(57)【要約】【課題】  画像領域を大きく確保した輝尽性蛍光体パネルを作製するために、撮影装置へ装填する側の封止フィルムにより被覆される部分の間隙を可能な限り少なくした輝尽性蛍光体シート封止体の作製方法、輝尽性蛍光体シート封止体及びこれらに使用する封止袋の作製方法の提供。【解決手段】  輝尽性蛍光体シートを、一枚の封止用フィルムを折り返し両側を熱溶着し形成した封止袋に収納した後、該封止袋内を減圧とし、前記封止袋の前記輝尽性蛍光体シートを収納する開口部を熱溶着により封止する輝尽性蛍光体シート封止体の作製方法において、前記封止袋が、前記輝尽性蛍光体シートの厚さに対して５０〜２００％の厚さを持ったコの字型の折り返し部を有し、該折り返し部に前記輝尽性蛍光体シートの一辺を際寄せした状態で収納することを特徴とする輝尽性蛍光体シート封止体の作製方法。【選択図】        図１
2005201752.tif 000002
【特許請求の範囲】
【請求項１】
支持体上に輝尽性蛍光体層が形成された輝尽性蛍光体シートを、一枚の封止用フィルムを折り返し両側を熱溶着し形成した封止袋に収納した後、少なくとも該封止袋内を減圧とし、前記封止袋の前記輝尽性蛍光体シートを収納する開口部を熱溶着により封止する輝尽性蛍光体シート封止体の作製方法において、
前記封止袋が、前記輝尽性蛍光体シートの厚さに対して５０〜２００％の厚さを持ったコの字型の折り返し部を有し、
該折り返し部に前記輝尽性蛍光体シートの一辺を際寄せした状態で収納することを特徴とする輝尽性蛍光体シート封止体の作製方法。
【請求項２】
請求項１に記載の輝尽性蛍光体シート封止体の作製方法により作製したことを特徴とする輝尽性蛍光体シート封止体。
【請求項３】
支持体上に輝尽性蛍光体層が形成された輝尽性蛍光体シートを、一枚の封止用フィルムを折り返し両側を熱溶着し形成した封止袋に収納した後、該封止袋を減圧条件下で前記封止袋の前記輝尽性蛍光体シートを収納する開口部を熱溶着により封止し作製する輝尽性蛍光体シート封止体の封止袋の作製方法において、
前記封止袋は、成型用部材を使用し、該封止用フィルムを該輝尽性蛍光体シートの厚さに対して５０〜２００％の厚さを有する折り返し部を加熱成型し、
該折り返し部の両側部を熱溶着することにより作製されることを特徴とする封止袋の作製方法。
【請求項４】
前記成型用部材は、輝尽性蛍光体シートの厚さに対して５０〜２００％の厚さを有するプレートと、
該プレートの一方の端部に、一方の端部を固定した第１保持部材と、
該第１保持部材の他の端部に固定した板状部材と、
該板状部材を介して前記第１保持部材の内面と対向する様に前記板状部材に固定した第２保持部材とを有し、
前記第１保持部材は、前記プレートの表面に被せた時、前記板状部材の内面と前記プレートの端部の端面とが当接するような長さを有し、
該第２保持部材は前記板状部材を介して前記プレートの裏面を覆う長さを有していることを特徴とする請求項３に記載の封止袋の作製方法。
【請求項５】
前記板状部材がプレートと同じ厚さと幅を有していることを特徴とする請求項４に記載の封止袋の作製方法。
【請求項６】
前記輝尽性蛍光体シートが、マンモグラフィー用であることを特徴とする請求項２に記載の輝尽性蛍光体シート封止体。
【発明の詳細な説明】
【技術分野】
【０００１】
本発明は、輝尽性蛍光体シート封止体、輝尽性蛍光体シート封止体の作製方法及びこれらに使用する封止袋の作製方法に関する。
【背景技術】
【０００２】
Ｘ線画像のような放射線画像は病気診断用などに多く用いられている。このＸ線画像を得るために被写体を通過したＸ線を輝尽性蛍光体（蛍光スクリーン）に照射し、これにより生じた可視光を通常の写真をとるときと同じように銀塩を使用したフィルムに照射して現像した、いわゆる放射線写真が利用されている。しかし、近年、銀塩を塗布したフィルムを使用しないで輝尽性蛍光体から直接画像を取り出す方法が工夫されるようになった。
【０００３】
画像を取り出す方法としては、被写体を透過した放射線を輝尽性蛍光体に吸収させた後、光又は熱エネルギー等で輝尽性蛍光体を励起することにより、輝尽性蛍光体が蓄積している放射線エネルギーを蛍光として放射し、この蛍光を検出し画像化する方法が挙げられる。具体的には、例えば米国特許３，８５９，５２７号及び特開昭５５−１２１４４号等などに可撓性の支持体上に輝尽性蛍光体層を形成した輝尽性蛍光体シートを使用した放射線画像変換方法が記載されている。
【０００４】
これらの方法は、輝尽性蛍光体シートの輝尽性蛍光体層に被写体を透過した放射線を当てて被写体各部の放射線透過密度に対応する放射線エネルギーを蓄積させて、その後に輝尽性蛍光体層を可視光線、赤外線などの電磁波（励起光）で時系列的に励起することにより、該輝尽性蛍光体層中に蓄積されている放射線エネルギーを輝尽発光として放出させ、この光の強弱による信号をたとえば光電変換し、電気信号を得て、この信号を感光フィルムなどの記録材料、ＣＲＴなどの表示装置上に可視像として再生するものである。
【０００５】
この放射線像記録再生方法によれば、従来の放射線写真フィルムと増感紙との組合せを用いる放射線写真法による場合に比較して、はるかに少ない被曝線量で情報量の豊富な放射線画像を得ることができるという利点がある。
【０００６】
このような輝尽性蛍光体は、放射線を照射した後、励起光を照射すると輝尽発光を示す輝尽性蛍光体であるが、実用上では、波長が４００〜９００ｎｍの範囲にある励起光によって３００〜５００ｎｍの波長範囲の輝尽発光を示す輝尽性蛍光体が一般的に利用される。
【０００７】
輝尽性蛍光体シートとしては、可撓性の支持体上に輝尽性蛍光体層を塗設した塗設タイプが、取り扱い易く、作り易く、性能が安定していることから多く使用されている。
【０００８】
実際の使用に際しては、輝尽性蛍光体層の保護のために輝尽性蛍光体シートを保護フィルムで封止し、輝尽性蛍光体シート封止体（以下、単に封止体とも言う）とし、この封止体を所定の大きさの平板状のトレーに保護フィルムによる封止部分がトレーより飛び出さない状態で接着部材により固定し（一般的に、輝尽性蛍光体パネルと言われている）、カセッテに収納されて撮影装置に装填している。
【０００９】
トレーの大きさは予め決められているため、少しでも有効画像領域を増やすためには輝尽性蛍光体シートの保護材料による封止部分を少なくすることが必要となる。従来の製品の封止部分の幅は１ｍｍ以上となっている。
【００１０】
特に、マンモグラフィー（乳房撮影）用として、輝尽性蛍光体パネルを用いる場合、胸壁側の乳房画像には可能な限り画像欠損領域を生じさせない必要があるため、封止体においても、胸壁辺側の画像欠損領域（輝尽性蛍光体層が設けられていない領域）を可能な限り狭くすることが必要となる。
【００１１】
このため封止体を作製する時に保護フィルムによる封止部分を少なくする方法が検討されてきた。例えば、可撓性の支持体上に輝尽性蛍光体層が形成された輝尽性蛍光体シートを、該輝尽性蛍光体シートより大きな２枚の封止フィルム（保護フィルム）で挟持し、減圧条件下で前記輝尽性蛍光体シートの周囲を、輝尽性蛍光体シートの支持体側の封止フィルム（保護フィルム）を押接可能なヒータを有する剛性部材と、輝尽性蛍光体層側の封止フイルムを押接可能な弾性部材とを有するヒートシーラを用い封止し封止体を作製する方法が知られている（例えば、特許文献１を参照。）。
【００１２】
しかしながら、特許文献１に記載の封止方法で封止体を作製した場合、輝尽性蛍光体シートの周囲には封止フィルム（保護フィルム）の封止部が付いているため、輝尽性蛍光体パネルを作るためにトレーに封止体を貼り付けたとき、封止部の幅だけ画像欠損領域が発生してしまう。特に、この輝尽性蛍光体パネルをマンモグラフィー（乳房撮影）用として用いる場合、胸壁側に画像欠損領域が生じるため胸壁側の乳房画像に画像欠損が生じる危険があり好ましくない。
【００１３】
又、透明なフィルムを二つ折りにし、両側をシールし開口を有する袋状フィルムとし、この中に輝尽性蛍光体シートを挿入し、折り返し部に輝尽性蛍光体シートを突き当て、脱気し開口部を封止した封止体を、折り返し部を基準としてトレーに貼着しマンモグラフィー（乳房撮影）用の輝尽性蛍光体パネルを作製する方法が知られている（例えば、特許文献２を参照。）。
【００１４】
しかしながら、特許文献２に記載の方法では、封止領域は０．６〜１．０ｍｍにまで改善することが出来るが、未だ不十分な状態となっている。
【００１５】
この様な状況から、画像領域が大きく確保できた輝尽性蛍光体パネルが望まれており、特にマンモグラフィー（乳房撮影）用として、輝尽性蛍光体パネルを用いる場合、胸壁側の乳房画像には可能な限り画像欠損領域を生じさせない必要があるため、輝尽性蛍光体パネルに使用する封止体においても、胸壁辺側の画像欠損領域（輝尽性蛍光体層が設けられていない領域）を可能な限り狭くした封止体の作製が望まれている。
【特許文献１】特開平１１−２２３８９０号公報
【特許文献２】特開２００１−８３２９９号公報
【発明の開示】
【発明が解決しようとする課題】
【００１６】
本発明は、上記状況に鑑み成されたものであり、その目的は、画像領域を大きく確保した輝尽性蛍光体パネルを作製するために、撮影装置へ装填する側の封止フィルムにより被覆される部分の間隙を可能な限り少なくした輝尽性蛍光体シート封止体の作製方法、輝尽性蛍光体シート封止体及びこれらに使用する封止袋の作製方法を提供することである。
【課題を解決するための手段】
【００１７】
本発明の上記目的は、下記の構成により達成された。
【００１８】
（請求項１）
支持体上に輝尽性蛍光体層が形成された輝尽性蛍光体シートを、一枚の封止用フィルムを折り返し両側を熱溶着し形成した封止袋に収納した後、少なくとも該封止袋内を減圧とし、前記封止袋の前記輝尽性蛍光体シートを収納する開口部を熱溶着により封止する輝尽性蛍光体シート封止体の作製方法において、
前記封止袋が、前記輝尽性蛍光体シートの厚さに対して５０〜２００％の厚さを持ったコの字型の折り返し部を有し、
該折り返し部に前記輝尽性蛍光体シートの一辺を際寄せした状態で収納することを特徴とする輝尽性蛍光体シート封止体の作製方法。
【００１９】
（請求項２）
請求項１に記載の輝尽性蛍光体シート封止体の作製方法により作製したことを特徴とする輝尽性蛍光体シート封止体。
【００２０】
（請求項３）
支持体上に輝尽性蛍光体層が形成された輝尽性蛍光体シートを、一枚の封止用フィルムを折り返し両側を熱溶着し形成した封止袋に収納した後、該封止袋を減圧条件下で前記封止袋の前記輝尽性蛍光体シートを収納する開口部を熱溶着により封止し作製する輝尽性蛍光体シート封止体の封止袋の作製方法において、
前記封止袋は、成型用部材を使用し、該封止用フィルムを該輝尽性蛍光体シートの厚さに対して５０〜２００％の厚さを有する折り返し部を加熱成型し、
該折り返し部の両側部を熱溶着することにより作製されることを特徴とする封止袋の作製方法。
【００２１】
（請求項４）
前記成型用部材は、輝尽性蛍光体シートの厚さに対して５０〜２００％の厚さを有するプレートと、
該プレートの一方の端部に、一方の端部を固定した第１保持部材と、
該第１保持部材の他の端部に固定した板状部材と、
該板状部材を介して前記第１保持部材の内面と対向する様に前記板状部材に固定した第２保持部材とを有し、
前記第１保持部材は、前記プレートの表面に被せた時、前記板状部材の内面と前記プレートの端部の端面とが当接するような長さを有し、
該第２保持部材は前記板状部材を介して前記プレートの裏面を覆う長さを有していることを特徴とする請求項３に記載の封止袋の作製方法。
【００２２】
（請求項５）
前記板状部材がプレートと同じ厚さと幅を有していることを特徴とする請求項４に記載の封止袋の作製方法。
【００２３】
（請求項６）
前記輝尽性蛍光体シートが、マンモグラフィー用であることを特徴とする請求項２に記載の輝尽性蛍光体シート封止体。
【発明の効果】
【００２４】
画像領域を大きく確保した輝尽性蛍光体パネルを作製するために、撮影装置へ装填する側の封止フィルムにより被覆される部分の間隙を可能な限り少なくした輝尽性蛍光体シート封止体の作製方法、輝尽性蛍光体シート封止体及びこれらに使用する封止袋の作製方法を提供することが出来、マンモグラフィー（乳房撮影）用として安心して使用することが出来るようになった。
【発明を実施するための最良の形態】
【００２５】
本発明に係る実施の形態を図１〜図６を参照して説明するが、本発明はこれに限定されるものではない。
【００２６】
図１は輝尽性蛍光体パネルの概略分解斜視図である。
【００２７】
図中、１はトレー１０２の上に輝尽性蛍光体シート２（図２を参照）を封止フィルム１０３（図２を参照）で封止した封止体１０１を貼着したマンモグラフィー（乳房撮影）用の輝尽性蛍光体パネルを示す。輝尽性蛍光体パネル１の特徴としては、撮影装置に装填される側の封止体１０１の端部の端面１０１ａとトレー１０２の端部の端面１０２ａとがほぼ揃っていることである。本発明は、この輝尽性蛍光体シートの封止方法、この封止方法により作製された封止体１０１、これらに使用する封止フィルムで作られた封止袋に関するものである。
【００２８】
図２は図１で示される輝尽性蛍光体パネルの概略拡大断面図である。図２の（ａ）は図１のＡ−Ａ′に沿った概略拡大断面図である。図２の（ｂ）は図１のＢ−Ｂ′に沿った概略拡大断面図である。
【００２９】
図中、２は可撓性支持体２ａ上に輝尽性蛍光体層２ｂ形成された輝尽性蛍光体シートを示す。１０３は輝尽性蛍光体シート２を封止する封止フィルムを示し、折り返し部１０３ａを介して、輝尽性蛍光体シート２の可撓性支持体２ａ側と輝尽性蛍光体層２ｂ側とを覆っている。１０３ｂは折り返し部１０３ａに対向する側の溶着部を示し、１０３ｃ、１０３ｄは折り返し部１０３ａを挟む両側の溶着部を示す。輝尽性蛍光体シート２を封止フィルム１０３で封止するとき、輝尽性蛍光体シート２の端面２ｃは折り返し部１０３ａに際寄せされた状態となっている。１０４は封止体１０１をトレー１０２に貼着するための接着剤を示す。
【００３０】
図１、図２に示す封止体１０１は、一枚の封止フィルム１０３を折り返し部１０３ａを形成しながら折り返し、両側を溶着した封止袋に輝尽性蛍光体シートを入れ、と折り返し部１０３ａに対向する端部を溶着することより作られている。封止袋の作製方法は図４、〜図６で詳細に説明する。
【００３１】
本発明に係る封止フィルムの厚さは１〜６０μｍが好ましい。１μｍ未満では、強度が不足し防湿性が不足する場合がある。６０μｍを越した場合は、撮影画像品質が低下する場合がある。
【００３２】
本発明に係る封止フィルムとしては、輝尽性蛍光体シートの輝尽性蛍光体層を湿度から保護するため、及び輝尽性蛍光体層から被写体の画像を取り出すために、特開平６−９５３０２号に記載されている如き、無機物蒸着層を少なくとも一層含んだ透明な積層材料が防湿性の面からより好ましく用いられる。
【００３３】
これら無機物蒸着膜としては薄膜ハンドブックｐ８７９〜ｐ９０１（日本学術振興会）、真空技術ハンドブックｐ５０２〜ｐ５０９、ｐ６１２、ｐ８１０（日刊工業新聞社）、真空ハンドブック増訂版ｐ１３２〜ｐ１３４（ＵＬＶＡＣ  日本真空技術Ｋ．Ｋ）に記載されている如き無機膜があげられる。例えば、Ｃｒ2Ｏ3、ＳｉxＯy（ｘ＝１、ｙ＝１．５〜２．０）、Ｔａ2Ｏ3、ＺｒＮ、ＳｉＣ、ＴｉＣ、ＰＳＧ、Ｓｉ3Ｎ4、単結晶Ｓｉ、アモルファスＳｉ、Ｗ、ＡＩ2Ｏ3等が用いられる。
【００３４】
無機物蒸着層を設ける基材として使用する熱可塑性樹脂フィルムとしてはエチレンテトラフルオロエチル共重合体（ＥＴＦＥ）、高密度ポリエチレン（ＨＤＰＥ）、延伸ポリプロピレン（０ＰＰ）、ポリスチレン（ＰＳ）、ポリメチルメタクリレート（ＰＭＭＡ）、延伸ナイロン（ＯＮｙ）、ポリエチレンテレフタレート（ＰＥＴ）、ポリカーボネート（ＰＣ）、ポリイミド、ポリエーテルスチレン（ＰＥＳ）など一般の包装用フィルムに使用されているフィルム材料を使用することが出来る。
【００３５】
無機物蒸着フィルムシートを介して積層する熱可塑性樹脂フィルムとしては一般の包装材料として使用されている高分子フィルム（例えば機能性包装材料の新展開株式会社東レリサーチセンター記載の高分子フィルム）である低密度ポリエチレン（ＬＤＰＥ）、ＨＤＰＥ、線状低密度ポリエチレン（ＬＬＤＰＥ）、中密度ポリエチレン、未延伸ポリプロピレン（ＣＰＰ）、ＯＰＰ、ＯＮｙ、ＰＥＴ、セロハン、ポリビニルアルコール（ＰＶＡ）、延伸ビニロン（ＯＶ）、エチレン−酢酸ビニル共重合体（ＥＶＯＨ）、塩化ビニリデン（ＰＶＤＣ）等が使用できる。
【００３６】
又、これら熱可塑性樹脂フィルムは、必要に応じて異種フィルムと共押し出しで作った多層フィルム、延伸角度を変えて張り合わせて作った多層フィルム等も当然使用出来る。更に必要とする物性を得るために使用するフィルムの密度、分子量分布を組み合わせて作る事も当然可能である。
【００３７】
最内層の熱可塑性樹脂フィルムとしては、ＬＤＰＥ、ＬＬＤＰＥ及びメタロセン触媒を使用して製造したＬＤＰＥ、ＬＬＤＰＥ、また、これらフィルムとＨＤＰＥフィルムの混合使用したフィルムを使用することが好ましい。
【００３８】
封止フィルムの水蒸気透過率としては、２．０ｇ／ｍ2・ｄａｙ以下であることが好ましく、吸湿等による輝尽性蛍光体シートの性能劣化を防止する点で０．５ｇ／ｍ2・ｄａｙであることが特に好ましい。
【００３９】
図３は図２の（ａ）のＳで示される部分の拡大概略図である。
図中、Ｋは折り返し部１０３ａの内側の高さを示す。高さＫは輝尽性蛍光体シート２の厚さに対して５０〜２００％である。５０％未満の場合は封止体を作製する場合、輝尽性蛍光体シートを折り返し部に際寄せする時、輝尽性蛍光体シートの端面が折り返し部の内面に当接することが困難となるため、折り返し部が飛び出した状態で封止体が出来てしまい、トレーに貼着したとき、図１、図２に示す様にトレーの端面と輝尽性蛍光体シートの端面がほぼ揃った状態とはならず、トレーの端部より奥側に位置する状態となるため、有効画像領域が減少するため好ましくない。２００％を越えた場合、減圧状件下で封止する時、折り返し部の余剰部分が不規則に折れ曲がりシワとなり、トレーへの貼着で平面性が維持できないため、正常な撮影が困難となること、及びシワの部分は正常な撮影が困難であるため有効画像領域が減少するため好ましくない。
【００４０】
Ｌは折り返し部１０３ａの内面と輝尽性蛍光体シート２の端面２ｃとの距離を示す。距離Ｌは０．０５〜０．５ｍｍが好ましい。０．０５ｍｍ未満では、作製するのに時間が要する割には、有効画像領域を増やす効果が少ない場合がある。０．５ｍｍを越した場合は、有効画像領域が減少し、胸壁辺側の画像欠損領域が増加するため好ましくない。以下、封止体を作製するのに使用する封止袋の作製方法に付き説明する。
【００４１】
図４は封止袋の作製に使用する成型用部材の概略斜視図である。図４の（ａ）は閉じた状態の成型用部材の概略斜視図である。図４の（ｂ）は開いた状態の成型用部材の概略斜視図である。
【００４２】
図中、３は成型用部材を示す。３０１は輝尽性蛍光体シートの厚さに対して５０〜２００％の厚さを有するプレートと、プレート３０１の端部に固定された第１保持部材３０２と、第１保持部材３０２の他の端部に固定された板状部材３０４と、第１保持部材３０２と向かい合う状態で板状部材３０４に固定された第２保持部材３０３とを有している。板状部材３０４の厚さはプレート３０１の厚さと同じとなっている。
【００４３】
第１保持部材３０２はプレート３０１の表面３０１ａに被せた時、板状部材３０４の内面３０４ａとプレート３０１の端面３０１ｃとが当接（図４の（ａ）を参照）する様な長さとなっている。
【００４４】
第２保持部材３０３は、第１保持部材３０２をプレート３０１の表面３０１ａに被せた時、プレート３０１の裏面３０１ｂを覆う長さとなっている。
【００４５】
プレート３０１の表面３０１ａに封止フィルムを載せ、第１保持部材３０２を封止フィルムの上に被せることで板状部材３０４の内面３０４ａとプレート３０１の端面３０１ｃ
の間に封止フィルムが挟まれた状態で折り曲げられ、更に第２保持部材３０３をプレート３０１の裏面３０１ｂを被せる方向に移動することでコの字型の折り返し部を持って折り曲げられる。この後、折れ曲げ箇所を熱処理することでコの字型の折り返し部が成型される。
【００４６】
このとき、プレート３０１の厚さが輝尽性蛍光体シートの厚さに対して５０％未満の場合は、出来上がる封止袋の折り返し部の高さが輝尽性蛍光体シートの厚さに対して不足してしまい、図３で説明した場合と同じ状態となるため好ましくない。プレート３０１の厚さが輝尽性蛍光体シートの厚さに対して２００％を越えた場合は、出来上がる封止袋の折り返し部の高さが輝尽性蛍光体シートの厚さに対して余ってしまうため、図３で説明した場合と同じ状態となるため好ましくない。
【００４７】
成型用部材３を構成しているプレートに使用する材質としては、コの字型の折り返し部の成型時の熱に耐える材質で、取り扱い時に粉塵の発生がない材料で、封止フィルムの最内層に使用している熱可塑性樹脂フィルムと接着しない材料あれば特に限定はなく、例えば鉄、ニッケル、アルミニウム、銅などの金属、封止フィルムの最内層に使用している熱可塑性樹脂フィルムの軟化点より５℃以上高い軟化点の樹脂等が挙げられる。
【００４８】
第１保持部材及び第２保持部材の材質もコの字型の折り返し部の成型時の熱に耐える材質で、封止フィルムの最上層に使用している熱可塑性樹脂フィルムと接着しない材料であれば特に限定はなく、例えばプレートに使用する材質、グラスファィバークロスにポリテトラフルオロエチレン（ＰＴＦＥ）を含浸し、焼成したフィルム、紙、封止フィルムの最上層に使用している熱可塑性樹脂の軟化点より５℃以上高い軟化点の樹脂等が挙げられる。
【００４９】
図５は図４に示す成型用部材を使用して封止袋を作製する過程を示す概略フロー図である。
【００５０】
Ｓ１では、図４の（ａ）に示す成型用部材３が準備される。
【００５１】
Ｓ２では、図４の（ｂ）に示す様にプレート３０１に被せてあった、第１保持部材３０２と第２保持部材３０３とをプレート３０１から離した状態とする。
【００５２】
Ｓ３では、プレート３０１の表面３０１ａに枚葉の封止フィルム１０３を第１保持部材３０２とプレート３０１との固定箇所の幅方向に当接する状態で載せた後、第１保持部材３０２を封止フィルム１０３の上に覆い被せる（図中の矢印方向）
Ｓ４では、封止フィルム１０３は板状部材の内面３０４ａとプレート３０１の端面３０１ｃの間に封止フィルムが挟まれた状態で折り曲げられ、更に第２保持部材３０３をプレート３０１の裏面３０１ｂ側に沿って移動（図中の矢印方向）する。又は、反転させ裏面３０１ｂ側を上にしてもかまわない。
【００５３】
Ｓ５では、プレート３０１の厚さに沿ってコの字型に封止フィルム１０３が折り曲げられコの字型の折り返し部１０３ａが形成される。
【００５４】
Ｓ６では、成型用部材３の両側に出ている封止フィルム１０３の余剰部分をプレート３０１に沿って加熱溶着する。１０３ｅ、１０３ｆは加熱溶着した部分を示す。又、封止フィルム１０３の折り曲げ箇所を第１保持部材３０２側と第２保持部材３０３側とから加熱し折り返し部１０３ａをコの字形状に成型する。折り返し部１０３ａをコの字形状に成型する時の温度は、使用する封止フィルム１０３の材料により異なるが、最内層を構成している熱可塑製樹脂フィルムの軟化温度に対して５℃以上低くすることが好ましい。低くすることで封止フィルムとプレートとの接着を防止することが可能となる。成型方法としては特に限定はなく、例えば熱プレート、熱板シーラ、インパルスシーラ、超音波シーラ等で封止フィルム１０３の折り曲げ箇所を第１保持部材３０２側と第２保持部材３０３側とから加熱することが挙げられる。余剰部分を加熱溶着する温度は、使用する封止フィルム１０３の材料により異なるため、最内層（シーラント層）に使用している熱可塑製樹脂フィルムに合わせて適宜決めることが可能である。加熱溶着する方法は特に限定はなく、例えば熱板シーラ、インパルスシーラ、超音波シーラ等が挙げられる。折り返し部１０３ａをコの字形状に成型した後、両側の溶着部に沿って余剰部分を切除する。切除する方法は特に限定はなく、例えば鋏、ナイフ、カッタ等が挙げられる。
【００５５】
Ｓ７では、第２保持部材３０３を封止フィルム１０３から離し、成型用部材３を抜き取る。
【００５６】
Ｓ８では、コの字形状に成型された折り返し部１０３ａと、折り返し部１０３ａを挟んで両側が溶着され封止袋４が作られる。封止袋４は、収納する輝尽性蛍光体シートの大きさに対して１０〜３０％の大きさであることが、封止袋４に輝尽性蛍光体シートを収納する作業性の点から好ましい。
【００５７】
図６は図５に示す封止袋を使用して封止体を作製する過程を示す概略フロー図である。
【００５８】
Ｓ１では、図５に示す方法で作成した封止袋４に輝尽性蛍光体シート２の端面２ｃを、
封止袋４のコの字型の折り返し部１０３ａの内側に際寄せする状態で収納する。封止袋４は輝尽性蛍光体シート２を収納し易くするために輝尽性蛍光体シート２よりも幅が大きい物を使うのことが好ましい。
【００５９】
Ｓ２では、減圧条件下で封止袋４の開口部を、収納された輝尽性蛍光体シート２の際に沿って加熱溶着し溶着部分１０３ｂを作り封止する。このとき、減圧されることで封止袋４の両側の余剰部分も収納された輝尽性蛍光体シート２に密着された状態となる。減圧条件としては、２０００〜２００００Ｐａで行うことが好ましい。
【００６０】
Ｓ３では、収納された輝尽性蛍光体シート２の両長辺側の封止袋４の余剰部分を無くすために、輝尽性蛍光体シート２の両長辺側の際に沿って再度加熱溶着し溶着部分１０３ｃ、１０３ｄを作り、封止袋４を作製するときに形成された溶着部分１０３ｅ、１０３ｆを裁断し除去する。又、合わせて封止袋４の開口部を封止したときの封止袋４の余剰部分も裁断し除去する。
【００６１】
Ｓ４では、輝尽性蛍光体シート２が封止フィルムにより封止された図１〜図３に示す如き封止体１が作製される。
【００６２】
図１〜図６に示される如き封止袋、封止袋を使用して作製された封止体は、実際の使用に際しては、トレーに貼着し輝尽性蛍光体パネルとして、カセッテに収納されて撮影装置に装填され用いられている。
【００６３】
本発明の封止体を使用することにより次の効果が挙げられる。１）封止体の折り返し部と輝尽性蛍光体シートの端面との間隙が狭くなっているため、撮影装置に装填する側のトレーの端面と封止体の端面とがほぼ同一な輝尽性蛍光体パネルの作製が可能となった。２）この輝尽性蛍光体パネルをマンモグラフィー（乳房撮影）用として使用することで有効画像領域を増やし、胸壁辺側の画像欠損領域（輝尽性蛍光体シートが設けられていない領域）を狭くすることが可能となった。
【００６４】
輝尽性蛍光体パネルを作るときに使用するトレーの材質としては例えばアルミニウム（Ａｌ）、アルミニウム合金が挙げられる。アルミニウム合金としては、例えばＡｌ−Ｍｇ系合金、Ａｌ−マグネシウム（Ｍｇ）−ケイ素（Ｓｉ）系合金、Ａｌ−銅（Ｃｕ）系合金、Ａｌ−Ｓｉ系合金及びＡｌ−亜鉛（Ｚｎ）−Ｍｇ系合金等が挙げられる。
【００６５】
本発明に係わる輝尽性蛍光体シートに使用する可撓性の支持体としては、セルロースアセテートフィルム、ポリエステルフィルム、ポリエチレンテレフタレートフィルム、ポリアミドフィルム、ポリイミドフィルム、トリアセテートフィルム、ポリカーボネートフィルム等のプラスティックフィルム、アルミニウム箔、アルミニウム合金箔などの金属シート、一般紙及び例えば写真用原紙、コート紙、若しくはアート紙のような印刷用原紙、バライタ紙、レジンコート紙、ベルギー特許第７８４，６１５号明細書に記載されているようなポリサッカライド等でサイジングされた紙、二酸化チタンなどの顔料を含むピグメント紙、ポリビニールアルコールでサイジングした紙等の加工紙等が挙げられる。これらの中でも、加工し易さ、取り扱い性からプラスティックフィルムが好ましい可撓性の支持体として挙げられる。
【００６６】
また、これら可撓性の支持体の厚さは、用いる可撓性の支持体の材質等によって異なるが、一般的には８０〜１０００μｍであり、取り扱い上の点から、更に好ましくは８０〜５００μｍである。これらの支持体の表面は滑面であってもよいし、マット面としてもよい。
【００６７】
輝尽性蛍光体層の塗工方法としては、通常の塗布手段、例えばドクターブレード、ロールコータ、ナイフコータ、コンマコータ、リップコータ、押し出しコータなどを用いることができる。
【００６８】
輝尽性蛍光体層としては、バインダーと輝尽性蛍光体粒子とから構成されている。輝尽性蛍光体層を形成している「輝尽性蛍光体」とは、最初の光または高エネルギー放射線が照射された後に、光的、熱的、機械的、科学的または電気的等の刺激（輝尽励起）により、最初の光または高エネルギー放射線の照射量に対応した輝尽発光を示す輝尽性蛍光体をいう。実用的な面からは、光刺激（輝尽励起）により輝尽発光を示す輝尽性蛍光体が好ましく、波長が５００ｎｍ以上、１μｍ以下の輝尽励起光によって輝尽発光を示す輝尽性蛍光体が好ましい。
【００６９】
輝尽性蛍光体層を構成する輝尽性蛍光体の具体例としては、例えば特開昭５５−１２１４５号、同５５−１６００７８号、同５６−７４１７５号、同５６−１１６７７７号、同５７−２３６７３号、同５７−２３６７５号、同５８−２０６６７８号、同５９−２７２８９号、同５９−２７９８０号、同５９−５６４７９号、同５９−５６４８０号等に記載の希土類元素賦活アルカリ土類金属弗化ハロゲン化物系蛍光体；特開昭５９−７５２００号、同６０−８４３８１号、同６０−１０６７５２号、同６０−１６６３７９号、同６０−２２１４８３号、同６０−２２８５９２号、同６０−２２８５９３号、同６１−２３６７９号、同６１−１２０８８２号、同６１−１２０８８３号、同６１−１２０８８５号、同６１−２３５４８６号、同６１−２３５４８７号等に記載の２価のユーロピウム賦活アルカリ土類金属弗化ハロゲン化物系蛍光体；特開昭５５−１２１４４号に記載の希土類元素賦活オキシハライド蛍光体；特開昭５８−６９２８１号に記載のセリウム賦活３価金属オキシハライド蛍光体；特開昭６０−７０４８４号に記載のビスマス賦活アルカリ金属ハロゲン化物蛍光体；特開昭６０−１４１７８３号、同６０−１５７１００号に記載の２価のユーロピウム賦活アルカリ土類金属ハロ燐酸塩蛍光体；特開昭６０−１５７０９９号に記載の２価のユーロピウム賦活アルカリ土類金属ハロほう酸塩蛍光体；特開昭６０−２１７３５４号に記載の２価のユーロピウム賦活アルカリ土類金属水素化ハロゲン化物蛍光体；特開昭６１−２１１７３号、同６１−２１１８２号に記載のセリウム賦活希土類複合ハロゲン化物蛍光体；特開昭６１−４０３９０号に記載のセリウム賦活希土類ハロ燐酸塩蛍光体；特開昭６０−７８１５１号に記載の２価のユーロピウム賦活ハロゲン化セリウム・ルビジウム蛍光体；特開昭６０−７８１５１号に記載の２価のユーロピウム賦活複合ハロゲン化物蛍光体等が挙げられる。
【００７０】
以下に、本発明の効果を実施例により具体的に説明するが、本発明はこれらに限定されるものではない。
【実施例】
【００７１】
（輝尽性蛍光体シートの準備）
コニカ（株）製  Ｒｅｇｉｕｓプレート−３Ｓに使用している輝尽性蛍光体シートを使用した。
（封止袋の作製）
封止フィルムとして、ＰＥＴ１２μｍ／アルミナ蒸着ＰＥＴ１２μｍ／ＣＰＰ３０μｍの多層構成のフィルムを使用し、図５に示す方法により表１に示すようにコの字型の折り返し部の高さが異なる封止袋を作製し１−１〜１−８とした。封止袋の大きさは収納する輝尽性蛍光体シートの大きさに対して２０％大きくした。
【００７２】
封止袋を作製するのに使用した成型用部材のプレートには厚さを変えたポリアセタール樹脂を使用し、第１保持部材と第２保持部材には厚さ０．０８ｍｍのグラスファィバークロスにポリテトラフルオロエチレン（ＰＴＦＥ）を含浸し、焼成したフィルム（ＰＴＦＥ  ＣＯＡＴＥＤ  ＧＬＡＳＳ  ＣＬＯＴＨ）を使用した。コの字型の折り返し部の成型は、熱プレートシーラを使用し１３０℃で行い、両側の溶着は富士インパルス（株）製インパルスシーラを使用し１６０℃で行った。折り返し部の高さは輝尽性蛍光体シートの厚さに対する割合（％）を示す。
【００７３】
【表１】
2005201752.tif 000003
【００７４】
（封止体の作製）
作製した各封止袋１−１〜１−８に準備した輝尽性蛍光体シートを収納し、図６に示す方法に従って封止体を作製し試料１０１〜１０８とした。封止体を作製するときの封止袋の内部を１００００Ｐａで減圧し、封止袋の開口部及び余剰部分の溶着は、富士インパルス（株）製インパルスシーラを用い１６０℃で行った。
【００７５】
（評価）
作製した各封止体１０１〜１０８を、図１に示す様にトレーの端部の端面と各封止体１０１〜１０８の端部の端面とを合わせてトレーに貼着し輝尽性蛍光体パネルを作製した。作製した各輝尽性蛍光体パネルに管電圧８０ｋＶｐのＸ線を照射した後、ダイレクトデジタイザ装置（コニカミノルタ（株）製  ＲＥＧＩＵＳ  ＭＯＤＥＬ１７０  ＲＥＧＩＵＳ  ＣＳ−１）により、画像として再生し、出力装置（コニカミノルタ（株）製  ＤＲＹＰＲＯ  ＭＯＤＥＬ７５２）により２倍に拡大してプリントアウトし、得られた画像より折り返し部の画像欠損領域をスケール入れの１０倍ルーペを使用し目視により測定した結果を表２に示す。
【００７６】
【表２】
2005201752.tif 000004
【００７７】
比較の試料１０１、１０８はいずれも画像欠損領域が本発明の試料１０２〜１０７に比べ大きく有効画像領域が減少し実用化は困難と判断し、本発明の有効性が確認された。
【図面の簡単な説明】
【００７８】
【図１】輝尽性蛍光体パネルの概略分解斜視図である。
【図２】図１で示される輝尽性蛍光体パネルの概略拡大断面図である。
【図３】図２の（ａ）のＳで示される部分の拡大概略図である。
【図４】封止袋の作製に使用する成型用部材の概略斜視図である。
【図５】図４に示す成型用部材を使用して封止袋を作製する過程を示す概略フロー図である。
【図６】図５に示す封止袋を使用して封止体を作製する過程を示す概略フロー図である。
【符号の説明】
【００７９】
１  輝尽性蛍光体パネル
１０１  封止体
１０２  トレー
１０３  封止フィルム
１０３ａ  折り返し部
１０３ｂ、１０３ｃ  溶着部
２  輝尽性蛍光体シート
３  成型用部材
３０１  プレート
３０２  第１保持部材
３０３  第２保持部材
３０４  板状部材
【図１】
2005201752.tif 000005
【図２】
2005201752.tif 000006
【図３】
2005201752.tif 000007
【図４】
2005201752.tif 000008
【図５】
2005201752.tif 000009
【図６】
2005201752.tif 000010